(57)【要約】【課題】環境温度の比較的低い時間帯であっても予め設定された時刻に直ちに利用可能とすることができる画像形成装置を提供する。【解決手段】ユーザにより設定された時刻の所定時間前にクリーニングブレードの温度を検知する（Ｓ２１〜Ｓ２２）。この検知された温度に基づいて定着器の定着加熱期間を決定し、この決定された定着加熱期間と前記設定された時刻とに基づいて定まる定着加熱開始時刻に定着器の定着加熱を開始する。または、当該温度に基づいて定着器の温調温度を決定し、この決定された温調温度で少なくとも前記設定された時刻まで定着器の制御を行う。あるいは、設定された時刻の所定時間前に当該温度およびこの温度の単位時間あたりの変化量に基づいて定着器の温調温度を補正し、この補正された温調温度で少なくとも前記設定された時刻まで定着器の制御を行う。【選択図】図４
2007178878.tif 000002
【特許請求の範囲】
【請求項１】
未定着トナー像を被記録材に加熱定着する定着器と、
像担持体を清掃するクリーニングブレードの温度を検知する温度検知手段と、
画像形成装置の使用開始時刻を設定する時刻設定手段と、
前記定着器を制御する制御手段とを備え、
前記制御手段は、前記設定された時刻の所定時間前に前記温度検知手段により温度を検知し、この検知された温度に基づいて前記定着器の必要な定着加熱期間を決定し、この決定された定着加熱期間と前記設定された時刻とに基づいて定まる定着加熱開始時刻に前記定着器の定着加熱を開始する
ことを特徴とする画像形成装置。
【請求項２】
前記制御手段は、前記検知された温度が低いほど、前記定着加熱開始時刻を早くすることを特徴とする請求項１記載の画像形成装置。
【請求項３】
未定着トナー像を被記録材に加熱定着する定着器と、
像担持体を清掃するクリーニングブレードの温度を検知する温度検知手段と、
画像形成装置の使用開始時刻を設定する時刻設定手段と、
前記定着器を制御する制御手段とを備え、
前記制御手段は、前記設定された時刻の所定時間前に前記温度検知手段により温度を検知し、この検知された温度に基づいて前記定着器の温調温度を決定し、この決定された温調温度で少なくとも前記設定された時刻まで前記定着器の制御を行う
ことを特徴とする画像形成装置。
【請求項４】
未定着トナー像を被記録材に加熱定着する定着器と、
像担持体を清掃するクリーニングブレードの温度を検知する温度検知手段と、
画像形成装置の使用開始時刻を設定する時刻設定手段と、
前記定着器を制御する制御手段とを備え、
前記制御手段は、前記設定された時刻の所定時間前に前記温度検知手段により温度を検知し、この検知された温度およびこの温度の単位時間あたりの変化量に基づいて前記定着器の温調温度を補正し、この補正された温調温度で少なくとも前記設定された時刻まで前記定着器の制御を行う
ことを特徴とする画像形成装置。
【請求項５】
前記制御手段は、前記定着器の定着加熱開始から前記設定された時刻までの所定時間前記定着器に空回転を行わせることを特徴とする請求項１、３または４記載の画像形成装置。
【請求項６】
前記画像形成装置内部の熱を排出するためのファンを有し、前記ファンは前記定着器の少なくとも空回転中に停止させることを特徴とする請求項５記載の画像形成装置。
【請求項７】
前記画像形成装置内部の熱を排出するためのファンを有し、前記ファンは前記定着器の少なくとも空回転中に、熱を排出する方向と逆の方向に回転させることを特徴とする請求項５記載の画像形成装置。
【請求項８】
前記制御手段は、画像形成装置のドアが開いているとき、または、前記時刻設定手段の設定が取り消されたときは、定着加熱を行なわないことを特徴とする請求項１、３または４に記載の画像形成装置。
【請求項９】
前記温度検知手段は、画像形成装置に設けられた環境温度を検知する温度センサまたは装置内部の機内温度を検知する温度センサであることを特徴とする請求項１〜８のいずれかに記載の画像形成装置。
【発明の詳細な説明】
【技術分野】
【０００１】
本発明は、未定着トナー像を被加熱材としての被記録材に加熱定着する定着器、及び転写残トナーを感光ドラムから除去するクリーニング装置を備えた電子写真装置、静電記録装置等の画像形成装置に関し、特に寒冷地での利用に適した画像形成装置に関するものである。
【背景技術】
【０００２】
従来のこの種の画像形成装置において、電子写真方式・静電記録方式・磁気記録方式等の適宜の作像プロセス機構により、感光ドラムに顕像されたトナーは転写材に転写される。転写されずに感光ドラム上に残ったトナーはクリーニングブレードを備えたクリーニング装置により除去される。
【０００３】
クリーニングブレードとしてはゴム部材が広く用いられている。ゴム部材は常温では優れたクリーニング性能を示すが、０℃環境のような極低温では弾性を失い、クリーニング不良を起こすという問題がある。
【０００４】
そこで、この課題を解決するために、特許文献１に開示のように、像担持体および現像剤の結露を防止する保温ヒータを用いる技術が提案されている。この保温ヒータは、像担持体である感光ドラム近傍に設置される。このような保温ヒータに夜間通電することにより、感光ドラム近傍の空気は温められ、クリーニングブレードの弾性は保たれる。よって、早朝に使用されてクリーニング不良が発生するという課題は解消される。
【特許文献１】実開昭６３−１６４７５８号公報
【発明の開示】
【発明が解決しようとする課題】
【０００５】
保温ヒータは効果的ではあるが、コストがかかるという問題がある。また、ドラム近傍は温かくなっていても、定着器は夜間非加熱状態となっているので、画像形成装置を早朝に直ちに使用しようとしても、定着器が立ち上がるのを待たなければならないという問題がある。
【０００６】
画像形成装置が早朝直ちに使用可能となるには定着器もドラム近傍も温かくなっていなければならない。
【０００７】
本発明はこのような背景においてなされたものであり、その目的は、環境温度の比較的低い時間帯であっても予め設定された時刻に直ちに利用可能とすることができる画像形成装置を提供することにある。
【課題を解決するための手段】
【０００８】
本発明による第１の画像形成装置は、未定着トナー像を被記録材に加熱定着する定着器と、像担持体を清掃するクリーニングブレードの温度を検知する温度検知手段と、画像形成装置の使用開始時刻を設定する時刻設定手段と、前記定着器を制御する制御手段とを備え、前記制御手段は、前記設定された時刻の所定時間前に前記温度検知手段により温度を検知し、この検知された温度に基づいて前記定着器の必要な定着加熱期間を決定し、この決定された定着加熱期間と前記設定された時刻とに基づいて定まる定着加熱開始時刻に前記定着器の定着加熱を開始することを特徴とする。
【０００９】
この発明では、前記設定された時刻の所定時間前に検知した温度に基づき、当該時刻前に定着加熱期間を考慮して定着加熱期間を決定する。より具体的には、前記検知された温度が低いほど、前記定着加熱開始時刻を早くする。これによって、環境温度によらず、前記設定された時刻において直ちに良好な定着動作が行える。この構成は、少なくとも定着加熱開始から前記設定された時刻までの定着温調温度が一定である場合に好適である。
【００１０】
本発明による第２の画像形成装置は、未定着トナー像を被記録材に加熱定着する定着器と、像担持体を清掃するクリーニングブレードの温度を検知する温度検知手段と、画像形成装置の使用開始時刻を設定する時刻設定手段と、前記定着器を制御する制御手段とを備え、前記制御手段は、前記設定された時刻の所定時間前に前記温度検知手段により温度を検知し、この検知された温度に基づいて前記定着器の温調温度を決定し、この決定された温調温度で少なくとも前記設定された時刻まで前記定着器の制御を行うことを特徴とする。
【００１１】
この発明では、前記設定された時刻の所定時間前に検知した温度に基づき、定着器の温調温度を決定し、この決定された温調温度で少なくとも前記設定された時刻まで前記定着器の制御を行う。これにより、温度が異なっても、定着加熱開始時刻は同じにすることが可能となる。
【００１２】
本発明による第３画像形成装置は、未定着トナー像を被記録材に加熱定着する定着器と、像担持体を清掃するクリーニングブレードの温度を検知する温度検知手段と、画像形成装置の使用開始時刻を設定する時刻設定手段と、前記定着器を制御する制御手段とを備え、前記制御手段は、前記設定された時刻の所定時間前に前記温度検知手段により温度を検知し、この検知された温度およびこの温度の単位時間あたりの変化量に基づいて前記定着器の温調温度を補正し、この補正された温調温度で少なくとも前記設定された時刻まで前記定着器の制御を行うことを特徴とする。
【００１３】
この発明では、温度を検知するのにならず、この検知された温度およびこの温度の単位時間あたりの変化量に基づいて前記定着器の温調温度を補正する。これによって、温度が短時間で変化しても、早すぎずかつ遅すぎずに、前記設定された時刻で定着器の温度を目的の温度まで上昇させることができる。
【発明の効果】
【００１４】
本発明によれば、定着器のウォームアップのために、環境温度に応じて定着加熱開始時刻を変えることにより、設定された時刻には、定着器が所期の温度にまで上昇しているので、定着不良を発生することもなく、早朝でも直ちに画像形成装置を使用可能となる。したがって、本発明は、例えば、−２０℃のように極低温となる寒冷地において適用して好適である。
【００１５】
室温に応じて定着温調温度を制御するようにすれば、環境温度が異なっても、定着器のウォームアップに要する時間をほぼ一定にすることが可能となる。
【００１６】
また、室温だけでなく、その変化量も考慮することにより、定着器のウォームアップの際に、昇温が間に合わなかったり、逆に早く昇温させて電力を過多に消費したりすることを防止できる。
【発明を実施するための最良の形態】
【００１７】
以下、図面を参照しながら、本発明の好適な実施の形態について例示的に詳細に説明する。ただし、この実施の形態に記載されている構成部品の寸法、材質、形状、その相対配置等は、特に特定的な記載がない限りは、この発明の範囲をそれらのみに限定する趣旨のものではない。
（第１の実施の形態）
【００１８】
先ず、図１を参照して、本実施の形態に係る画像形成装置について説明する。図１は、本実施の形態に係る画像形成装置の概略構成図である。
【００１９】
本実施の形態では、画像形成装置の一例として、回転ドラム型、転写式の電子写真複写装置を挙げる。即ち、この画像形成装置においては、所要の複写条件を設定した後に、コピースタートキーを押すと、感光ドラム３９が矢印で示す時計方向に所定の周速度で回転駆動される。
【００２０】
後述する原稿読取部で読み取られた原稿の画像信号はレーザスキャナ２９によりレーザ光が固定ミラー２６，２７，２８を介して、回転する感光ドラム３９の表面に露光される。この感光ドラム３９の表面は、露光面に一次帯電器３０により正又は負の所定電位に一様に帯電処理されており、この帯電面に対して上記の露光がなされることで、感光ドラム３９の表面に原稿画像に対応したパターンの静電潜像が順次に形成される。この静電潜像は、現像装置３１の現像ローラ３２からのトナーによってトナー像として顕画像化される。
【００２１】
一方、用紙等の記録材Ｐが、給紙ローラ５１により給紙され、ガイド３３を通って所定のタイミングで感光ドラム３９と転写帯電器３４との間の転写部へ導入されて、転写コロナを受けることで感光ドラム３９に接し、感光ドラム３９側のトナー顕画像が記録材上面に順次転写される。（上記レーザスキャナ２９および感光ドラム３９、現像装置３１及び転写帯電器３４は、画像形成手段を構成する主要部材である。）
【００２２】
上記転写部を通過した記録材Ｐは、除電針３５によって背面電荷の除電を受けつつ、感光ドラム３９の表面から順次に分離され、搬送部３８、入口ガイド１２で定着器６０へ導入され、トナー画像定着を受け、画像形成物として排紙ローラ１５にて機外へ排出される。
【００２３】
転写後の感光ドラム３９の表面は、クリーニング装置３６のクリーニングブレード３７によって残りトナー等の汚れが清掃除去され、繰り返して画像形成に供される。
【００２４】
室温センサ（環境センサ）９９は室温を検知し、どのような環境で画像形成装置が使用されているかを判断するために用いられる。排気ファン７は、機内の熱を排出するための手段であり、後述する場合を除き、画像形成装置の電源が入っているときは常時稼動している。室温センサ９９の代わりに、装置内部の機内温度を検知する温度センサを用いてもよい。これらのいずれかのセンサが、実質的に、像担持体を清掃するクリーニングブレードの温度を検知する温度検知手段を構成する。
【００２５】
図２は、本実施の形態に係る画像形成装置の制御ハードウェアの概略構成を示している。制御部１００は、ＣＰＵ、メモリ、入出力装置等を備え、メモリ内に格納された制御プログラムに従って装置の各部を制御する。原稿読取部１０１は制御部１００により制御され、コピー対象の原稿の画像を読み取る。各種センサ１０３は、装置の各部に配置されたセンサであり、制御部１００に対して検出信号を出力する。この各種センサ１０３には、上記室温センサ９９、記録材Ｐを各所で検出するセンサ、装置のドアの開放を検出するセンサ、等を含む。上記排気ファン７は制御部１００に接続され、制御部１００により制御される。給紙搬送部１０７は、図示しないモータ、クラッチ等により被記録材の給紙、搬送を行う部位であり、制御部１００により制御される。画像形成部１０９は本実施の形態では図１に示したレーザスキャナ２９、感光ドラム３９、現像装置３１、転写帯電器３４等に対応し、制御部１００により制御される。定着器６０は上述したとおりであり、やはり、制御部１００により制御される。操作パネル１０４は、制御部１００に対してユーザが指示やデータ（時刻の設定情報を含む）を入力する入力部、および制御部１００がユーザに知らしめる情報を表示する表示部を備えている。ＲＴＣ（Real Time Clock)１１１は、基準クロックに基づいて日付や時間を管理する機能を有し、タイマー機能を提供する。
【００２６】
次に、定着器６０の空回転時間とクリーニングブレード温度との関係がどのようになるかを調べるための実験について説明する。この実験では、
環境温度：０℃、−１０℃、−２０℃
定着器６０の回転スピード：１２０ｍｍ／ｓ
温調温度：１８０℃
の条件下で、クリーニングブレード３７に熱電対を貼り付け、クリーニングブレード温度が何分後に何度になっているかを観測した。その結果を図３のグラフに示す。
【００２７】
図３のグラフ（ａ）に示すように、環境温度０℃ではクリーニングブレード温度は約５０分で６℃に上昇した。この時点でコピー動作を行なった結果、コピー画像に異常は見られなかった。また、定着器６０を５０分空回転した場合では、コピースタートキーを押下して直ちにコピー動作を開始することができた。
【００２８】
それに対し、定着器６０の空回転動作を行なわなかった場合では、クリーニング不良が発生した。コピー画像は、用紙上にクリーニングされなかったトナーが現れる不良画像となった。また、定着器６０の空回転動作を行なわなかった場合、定着器６０がコピー可能温度となるまでに時間を要するため、コピースタートキーを押下してから５分経過してやっとコピー動作が開始された。
【００２９】
以上の実験結果から、室温センサにより０℃環境であると判断された場合は、ユーザが指定した時刻から５０分前から所定温調温度での定着空回転を開始すれば、指定時刻には直ちにコピー可能となることが分かる。
【００３０】
図３のグラフ（ｂ）に示すように環境温度−１０℃では約８０分で６℃に上昇した。この実験結果から、室温センサにより−１０℃環境であると判断された場合は、ユーザが指定した時刻から８０分前から所定温調温度での定着空回転を開始すれば、指定時刻には直ちにコピー可能となることが分かる。
【００３１】
図３のグラフ（ｃ）に示すように環境温度−２０℃では約１１０分で６℃に上昇した。この実験結果から、室温センサにより−２０℃環境であると判断された場合は、ユーザが指定した時刻から１１０分前から所定温調温度での定着空回転を開始すれば、指定時刻には直ちにコピー可能となることが分かる。
【００３２】
図４は前記実験結果に基づいて行う定着器の制御（１）を表すフローチャートである。
【００３３】
画像形成装置は待機中、定着器を非加熱状態としているが、ＲＴＣ１１１およびこれに関連した制御部１００の機能は常時動作している。制御部１００は現在時刻を監視し、ユーザが設定した時刻に対して現在時刻がその所定時間（例えば２時間）前になったら（Ｓ１１，Ｙｅｓ）、室温センサ９９の出力に基づいて室温をチェックする（Ｓ１２）。このチェックにより確認された室温に応じて温調空回転時間ｔを決定する（Ｓ１３）。その後、設定時刻より当該温調空回転時間（定着加熱期間）ｔだけ前の時刻が到来するのを監視する（Ｓ１４）。当該時刻が到来したら、予め定められた所定の温調温度で定着器の温調制御を開始する（Ｓ１５）。これにより、設定時刻の直前までには、直ちにまたは迅速に定着動作が行える程度にまで定着器の温度が上昇する。設定時刻が到来したら（Ｓ１６，Ｙｅｓ）、所定の温調温度で温調制御を行う（Ｓ１７）。ここでの「所定の温調温度」は、直ちにまたは迅速に所期の定着動作を行える温調温度である。例えば待機用の温調温度（通紙用の温調温度より低い）であってもよいし、通紙用の温調温度であってもよい。通紙用の温調温度である場合には、所定時間、通紙が行われない場合に温調温度を待機用の温調温度に落とすようにしてもよい。
【００３４】
実験結果に基づいて、ユーザが指定した時刻の２時間前に室温センサの温度を検知し、０℃環境に近い温度である−５℃〜５℃では５５分前から空回転を開始する。−１０度環境に近い温度である−１５℃〜−５℃では８０分前から空回転を開始する。−１５℃以下では１１０分前から空回転を開始する。
【００３５】
なお、ユーザが紙詰まり処理中に、定着器６０の空回転が発生すると、危険であるため、ドアが開放された状態（または、前記時刻設定手段の設定が取り消された状態）では空回転が入らないようにした。
【００３６】
以上説明した構成では、排気ファン７が作動した状態で定着空回転を行なうことを想定していた。そのため、熱が機外に排出されてしまっていた。したがって、本実施の形態の第１の変形例として、定着空回転中は排気ファン７を停止するようにしてもよい。その結果、クリーニングブレード温度の上昇がより大きくなる。実際の実験では、必要な空回転時間を上記構成よりも約３０秒間短くすることができた。その結果、消費エネルギーを少なくすることが可能となる。
【００３７】
また、通常、排気ファン７は定着器６０から発生する熱を機外に排出する方向に回転させるが、第２の変形例として、定着空回転中は、定着器６０から発生する熱を機外に排出する方向とは逆方向に排気ファン７を回転するようにしてもよい。これにより、定着器６０の熱がクリーニングブレード方向に送られ、クリーニングブレード温度の上昇率をさらに大きくすることができる。実験では、必要な空回転時間を第１の変形例よりも約１分間短くすることが可能となり、消費エネルギーをさらに少なくすることができた。
【００３８】
次に、本発明の第２の実施の形態について説明する。この第２の実施の形態に係る画像形成装置の内部構成および制御ハードウェア構成は第１の実施の形態と同様であり重複した説明は省略する。
【００３９】
第１の実施の形態では、一定の温調温度１８０℃において、使用予定時刻よりどれだけ前の時点で定着空回転を開始すればよいかという観点から実験を行った。そのため環境温度（室温）が異なると必要な空回転時間が異なるため、環境温度によって空回転開始の時刻も変わった。
【００４０】
しかし、空回転時の温調温度は必ずしも固定でなくてもよい。したがって、本実施の形態では環境温度が異なっても温調温度を変えれば、空回転開始の時刻をほぼ同じにすることが可能となる。
【００４１】
このような観点から、第２の実施の形態に関して、定着器６０の温調温度とクリーニングブレード温度の関係がどのようになるか実験を行なった結果について説明する。この実験では、定着器６０の回転スピード：１２０ｍｍ／ｓとして、環境温度および温調温度の組み合わせを変えて、クリーニングブレード温度が所定の温度（ここでは６℃）に達するまでの空回転時間を測定した。その結果、  環境温度：０℃、−１０℃、−２０℃で、それぞれ、温調温度：１４０℃、１８０℃、２１０℃とすれば、環境温度が異なってもほぼ同じ空回転時間でコピー動作を開始可能となることが分かった。
【００４２】
すなわち、図５のグラフ（ａ）に示すように環境温度０℃では１４０℃温調で約８０分で６℃に上昇した。この時点でコピー動作を行なった結果画像に異常は見られなかった。この実験結果から、室温センサにより０℃環境であると判断された場合は、ユーザが指定した時刻から８０分前から１４０℃温調で定着空回転を開始すれば、指定時刻には直ちにコピー可能となる。
【００４３】
また、図５のグラフ（ｂ）に示すように環境温度−１０℃では１８０℃温調で約８０分で６℃に上昇した。これから室温センサにより−１０℃環境であると判断された場合は、ユーザが指定した時刻から８０分前から１８０℃温調で定着空回転を開始すれば、指定時刻には直ちにコピー可能となる。
【００４４】
さらに図５のグラフ（ｃ）に示すように環境温度−２０℃では２１０℃温調で約８０分で６℃に上昇した。これから室温センサにより−２０℃環境であると判断された場合は、ユーザが指定した時刻から８０分前から２１０℃温調で定着空回転を開始すれば、指定時刻には直ちにコピー可能となる。
【００４５】
以上の結果から、例えば、ユーザが指定した時刻の８０分前に室温センサの温度を検知し、０℃環境に近い温度である−５℃〜５℃では１４０℃温調、−１０度環境に近い温度である−１５℃〜−５℃では１８０℃温調、−１５℃以下では２１０℃温調と設定する。
【００４６】
図６は前記実験結果に基づいて行う定着器の制御（２）を表すフローチャートである。
【００４７】
制御部１００は現在時刻を監視し、ユーザが設定した時刻に対して現在時刻がその所定時間前になったら（Ｓ２１，Ｙｅｓ）、室温センサ９９の出力に基づいて室温をチェックする（Ｓ２２）。この室温に応じて定着器の温調温度を決定する（Ｓ２３）。さらに、この決定された温調温度で定着器の温調制御を開始する（Ｓ２４）。これにより、設定時刻の直前までには、直ちにまたは迅速に定着動作が行える程度にまで定着器の温度が上昇する。設定時刻が到来したら（Ｓ２５，Ｙｅｓ）、上記と同様、所定の温調温度で温調制御を行う（Ｓ２６）。
【００４８】
なお、この実施の形態においても、ドア開放状態では空回転を行なわないように設定できるようにする。また、本実施の形態においても上記第１、第２の変形例を適用可能である。
【００４９】
次に本発明の第３の実施の形態について説明する。この第３の実施の形態に係る画像形成装置の内部構成および制御ハードウェア構成は第１の実施の形態と同様であり重複した説明は省略する。
【００５０】
上記の説明では環境温度は短期に変化しないものとして扱った。しかし、寒冷地での実際の使用状態によっては、朝の急激な冷え込みで室温が低下したりして、機内が十分に温まらないこともありうる。逆に暖房により室温が上昇し、機内が早く温まりすぎたりもする。
【００５１】
そのような状態に対応するため図７に示すように室温Ｔ１と室温の単位時間あたりの変化温度量ΔＴにより、温調温度を補正するための補正データテーブル４００を用意した。このデータテーブル４００はメモリ内に不揮発的に格納される。この例では、温度変化量ΔＴは１０分ごとに測定している。例えば、室温Ｔが−１３℃のときに、１０分前からの変化温度量が５℃であったとき、現在の温調温度を＋１０℃する。このように、室温が低いときには変化温度量ΔＴが小さいほど、温調温度の温度上昇率を大きくし、室温が高いときは温度上昇率を小さくする必要がある。したがって、図７の補正データテーブル４００も室温が低い時ほど、温調温度が高くなるほうに補正を行なっている。特に室温が高いときに変化温度量ΔＴが比較的大きい場合には補正値を負の値とする。また、室温が６℃を超えると、これ以上温度上昇させる必要がないので、温調温度を所定の温度（図では１００℃）に固定している。
【００５２】
この補正データテーブル４００を実際の寒冷地の冬場に相当する温度環境に適用した。空回転開始時の温度は１８０℃であったが、途中１７５℃から１８５℃まで温調温度は変化した。温度上昇時間は図２と同じように８０分であった。
【００５３】
図８は第３の実施の形態に係る定着器の制御（３）を表すフローチャートである。
【００５４】
制御部１００は現在時刻を監視し、ユーザが設定した時刻に対して現在時刻がその所定時間（例えば２時間）前になったら（Ｓ３１，Ｙｅｓ）、室温センサ９９の出力に基づいて室温（Ｔ１）をチェックする（Ｓ３２）。そこで、予め定められた所定の温調温度で定着器の温調制御を開始する（Ｓ３３）。その後、一定時間（例えば１０分）経過後に（Ｓ３４，Ｙｅｓ）、再度室温（Ｔ２）をチェックする（Ｓ３５）。室温Ｔ１とその温度変化量（温度差ΔＴ＝Ｔ２−Ｔ１）に応じて温調温度を補正する（Ｓ３６）。設定時刻が到来するまでは（Ｓ３７）、Ｔ２をＴ１に代入し（Ｓ３８）、ステップＳ３４へ戻ってステップＳ３５，Ｓ３６の処理を行う。これにより、設定時刻の直前までには、直ちにまたは迅速に定着動作が行える程度にまで定着器の温度が上昇する。設定時刻が到来したら、上記と同様、所定の温調温度で温調制御を行う（Ｓ３９）。
【００５５】
この実施の形態においても、ドア開放状態では空回転を行なわないように設定できるようにする。また、本実施の形態においても上記第１、第２の変形例を適用可能である。
【００５６】
また、図８の処理では、一定時間毎に温度の単位時間あたりの変化温度量を測定して温調温度の補正を繰り返すようにしたが、温調温度の補正は最初の１回のみであってもよい。
【図面の簡単な説明】
【００５７】
【図１】本発明の実施の形態に係る画像形成装置の概略構成図である。
【図２】本発明の実施の形態に係る画像形成装置の制御ハードウェアの概略構成を示す図である。
【図３】本発明の実施の形態において、一定の温調温度による異なる室温でのクリーニングブレード温度の変化を示すグラフである。
【図４】図３のグラフに示した実験結果に基づいて行う定着器の制御（１）を表すフローチャートである。
【図５】環境温度および温調温度の組み合わせを変えて、クリーニングブレード温度が所定の温度に達するまでの空回転時間を測定した実験結果を示すグラフである。
【図６】本発明の第２の実施の形態に係る実験結果に基づいて行う定着器の制御（２）を表すフローチャートである。
【図７】本発明の第３の実施の形態において室温Ｔ１と室温の温度変化量ΔＴにより温調温度を補正するための補正データテーブルを示す図である。
【図８】本発明の第３の実施の形態に係る定着器の制御（３）を表すフローチャートである。
【符号の説明】
【００５８】
７…排気ファン
１２…入口ガイド
１５…排紙ローラ
２６、２７、２８…固定ミラー
２９…レーザスキャナ
３０…一次帯電器
３１…現像装置
３２…現像ローラ
３３…ガイド
３４…転写帯電器
３５…除電針
３６…クリーニング装置
３７…クリーニングブレード
３８…搬送部
３９…感光ドラム
５１…給紙ローラ
６０  定着器
９９…室温センサ
１００…制御部
１０１…原稿読取部
１０３…各種センサ
１０４…操作パネル
１０７…給紙搬送部
１０９…画像形成部
１１１…ＲＴＣ
Ｐ…記録材
【図１】
2007178878.tif 000003
【図２】
2007178878.tif 000004
【図４】
2007178878.tif 000005
【図６】
2007178878.tif 000006
【図７】
2007178878.tif 000007
【図８】
2007178878.tif 000008
【図３】
2007178878.tif 000009
【図５】
2007178878.tif 000010